Podtech/llm-jp-corpus-v4-ja_patent huggingface dataset:
【手続補正書】
【提出日】平成19年2月28日(2007.2.28)
【手続補正１】
【補正対象書類名】特許請求の範囲
【補正対象項目名】請求項１
【補正方法】変更
【補正の内容】
【請求項１】
２５０〜４５０ｎｍの波長範囲に少なくとも一つのピークをもつ発光スペクトルを有する光を発する少なくとも一つの光源、および前記光源によって発せられる光の光路上に配置される異方性の蛍光結晶薄膜（ＡＦ ＴＣＦ）を有するバックライトシステムであって、
前記ＡＦ ＴＣＦが、共役π系を有する少なくとも一つの多環式有機化合物のディスク状分子からなる棒状超分子によって形成されており、
前記棒状超分子は、好ましい配向方向を有しており、かつ、前記波長範囲内の光に晒されるとき、偏光された可視光を発するものである、バックライトシステム。
【手続補正２】
【補正対象書類名】特許請求の範囲
【補正対象項目名】請求項３０
【補正方法】変更
【補正の内容】
【請求項３０】
少なくとも一つの前記多環式有機化合物は、インダントロン（６，１５-ジヒドロ-５，９，１４，１８-アントラジンテトラオン）のスルホン化物である、請求項２１〜２７のいずれかに記載のＡＦ ＴＣＦ。
【手続補正３】
【補正対象書類名】明細書
【補正対象項目名】００１６
【補正方法】変更
【補正の内容】
【００１６】
本発明の一態様により明らかにされるバックライトシステムは、２５０〜４５０ｎｍの波長範囲において少なくとも一つのピークをもつ発光スペクトルを有する少なくとも一つの光源を有する。異方性の蛍光結晶薄膜（anisotropic fluorescent thin crystal film （ＡＦ ＴＣＦ））は、バックライトシステムの少なくとも一つの素子上に配置され、光源によって発せされる光の光路上に存在するようになっている。前記異方性の蛍光結晶薄膜は、共役π系を有する少なくとも一つの多環式有機化合物のディスク状分子からなる棒状超分子によって形成され、前記波長範囲からの光に晒されるとき、偏光された可視光を発する。
【手続補正４】
【補正対象書類名】明細書
【補正対象項目名】００５０
【補正方法】変更
【補正の内容】
【００５０】
図９〜１２は、異なる材料から製造されたＡＦ ＴＣＦの光学的性能についてのデータを示す。ＩｓおよびＩｐは、２５０〜４５０ｎｍの波長範囲に発光スペクトルを有する光源からの光に応答した異なる二つの偏光方向についての蛍光の強度である。
【手続補正書】
【提出日】平成19年8月30日(2007.8.30)
【手続補正１】
【補正対象書類名】特許請求の範囲
【補正対象項目名】全文
【補正方法】変更
【補正の内容】
【特許請求の範囲】
【請求項１】
添付ファイル付き電子メール・メッセージを、少なくとも１人の受信対象者へ送信する旨の要求を受信し、
前記少なくとも１人の受信対象者の特性値を、前記添付ファイルの最大受信者許容値と比較し、
前記少なくとも１人の受信対象者の前記特性値が、前記添付ファイルの前記最大受信者許容値を超えるのに応答して、前記電子メール・メッセージを送信する前に送信者認証を要求して、ウイルスが前記電子メール・メッセージを送信することによって自己増殖しようとしている場合に、前記送信を軽減すること
を含む、自己増殖型電子メール・ウイルスを軽減する方法。
【請求項２】
前記少なくとも１人の受信対象者の前記特性値を、前記電子メール・メッセージの最大受信者許容値と比較し、
前記少なくとも１人の受信対象者の前記特性値が前記電子メール・メッセージの受信者の前記最大受信者許容値を超えるのに応答して、前記電子メール・メッセージを送信する前に送信者認証を要求すること
をさらに含む、自己増殖型電子メール・ウイルスを軽減する、請求項１に記載の方法。
【請求項３】
添付ファイル付き電子メール・メッセージを送信する旨の要求の受信が、前記電子メール・メッセージ内に添付ファイルとして組み込まれたファイルを検出すること
をさらに含む、自己増殖型電子メール・ウイルスを軽減する、請求項１に記載の方法。
【請求項４】
前記少なくとも１人の受信対象者の前記特性値と、最大受信者許容値との比較が、
前記少なくとも１人の受信対象者の少なくとも１つのアドレスを、受信者のアドレス帳と比較し、
前記少なくとも１人の受信対象者の前記少なくとも１つのアドレスのうち、受信者の前記アドレス帳のアドレスにマッチするアドレスの数を計算し、
前記マッチするアドレスの数が、受信者の前記アドレス帳内のアドレスの最大許容値を超えているか否かを確定すること
をさらに含む、自己増殖型電子メール・ウイルスを軽減する、請求項１に記載の方法。
【請求項５】
前記少なくとも１人の受信対象者の前記特性値と、最大受信者許容値との比較が、
前記少なくとも１人の受信対象者の数を、或る種の前記添付ファイルの最大受信者許容値と比較すること
をさらに含む、自己増殖型電子メール・ウイルスを軽減する、請求項１に記載の方法。
【請求項６】
前記電子メール・メッセージを送信する前の送信者認証の要求が、
認証としてのパスワードの入力と送信者による手入力のうち、少なくとも１つを要求すること
をさらに含む、自己増殖型電子メール・ウイルスを軽減する、請求項１に記載の方法。
【請求項７】
ネットワーク管理者およびユーザのうち、少なくとも一方から前記最大受信者許容値を受信すること
をさらに含む、自己増殖型電子メール・ウイルスを軽減する、請求項１に記載の方法。
【請求項８】
前記送信者認証の拒絶の受信に応答して、前記電子メール・メッセージが阻止された旨をネットワーク管理者に通報すること
をさらに含む、自己増殖型電子メール・ウイルスを軽減する、請求項１に記載の方法。
【請求項９】
ネットワークに通信可能に接続されたコンピューティング・システム
を含み、
前記コンピューティング・システムは、
添付ファイル付き電子メール・メッセージを少なくとも１人の受信対象者に送信するための要求を受信する手段と、
前記少なくとも１人の受信対象者の特性値を、前記添付ファイルの最大受信者許容値と比較する手段と、
前記少なくとも１人の受信対象者の前記特性値が前記添付ファイルの前記最大受信者許容値を超えるのに応答して、前記電子メール・メッセージを送信する前に送信者認証を要求する手段と
をさらに含む、自己増殖型電子メール・ウイルスを軽減するシステム。
【請求項１０】
前記コンピューティング・システムは、
前記少なくとも１人の受信対象者の前記特性値を、前記電子メール・メッセージの最大受信者許容値と比較する手段と、
前記少なくとも１人の受信対象者の前記特性値が前記電子メール・メッセージの受信者の前記最大受信者許容値を超えているのに応答して、前記電子メール・メッセージを送信する前に送信者認証を要求する手段と
をさらに含む、自己増殖型電子メール・ウイルスを軽減する、請求項９に記載のシステム。
【請求項１１】
添付ファイル付き電子メール・メッセージを送信する旨の要求を受信する前記手段は、
前記電子メール・メッセージ内に添付ファイルとして組み込まれたファイルを検出する手段
をさらに含む、自己増殖型電子メール・ウイルスを軽減する、請求項９に記載のシステム。
【請求項１２】
前記少なくとも１人の受信対象者の前記特性値を最大受信者許容値と比較する手段は、
前記少なくとも１人の受信対象者の少なくとも１つのアドレスを、受信者のアドレス帳と比較する手段と、
受信者の前記アドレス帳のアドレスとマッチする、前記少なくとも１人の受信対象者の前記少なくとも１つのアドレスの数を計算する手段と、
前記マッチするアドレスの数が、受信者の前記アドレス帳内のアドレスの最大許容値を超えているか否かを確定する手段と
をさらに含む、自己増殖型電子メール・ウイルスを軽減する、請求項９に記載のシステム。
【請求項１３】
前記少なくとも１人の受信対象者の前記特性値を最大受信者許容値と比較する手段は、
前記少なくとも１人の受信対象者の数を、或る種の前記添付ファイルの最大受信者許容値と比較する手段
をさらに含む、自己増殖型電子メール・ウイルスを軽減する、請求項９に記載のシステム。
【請求項１４】
前記電子メール・メッセージを送信する前に、送信者認証を要求する前記手段は、
認証としてのパスワードの入力と送信者の手入力のうち、少なくとも１つを要求する手段
をさらに含む、自己増殖型電子メール・ウイルスを軽減する、請求項９に記載のシステム。
【請求項１５】
ネットワーク管理者とユーザのうち少なくとも一方から、前記最大受信者許容値を受信する手段
をさらに含む、自己増殖型電子メール・ウイルスを軽減する、請求項９に記載のシステム。
【請求項１６】
前記送信者認証の拒否の受信に応答して、前記電子メール・メッセージが阻止された旨をネットワーク管理者に通報する手段
をさらに含む、自己増殖型電子メール・ウイルスを軽減する、請求項９に記載のシステム。
【請求項１７】
自己増殖型電子メール・ウイルスを軽減するためのプログラムであって、該プログラムがコンピュータに、
添付ファイル付き電子メール・メッセージを少なくとも１人の受信対象者へ送信する旨の要求を受信する機能と、
前記少なくとも１人の受信対象者の特性値を、前記添付ファイルの最大受信者許容値と比較する機能と、
前記少なくとも１人の受信対象者の前記特性値が前記添付ファイルの前記最大受信者許容値を超えているのに応答して、前記電子メール・メッセージを送信する前に、送信者認証を要求する機能と
を実現させるプログラム。
【手続補正書】
【提出日】平成19年10月2日(2007.10.2)
【手続補正１】
【補正対象書類名】特許請求の範囲
【補正対象項目名】全文
【補正方法】変更
【補正の内容】
【特許請求の範囲】
【請求項１】
一般式（Ｉ）の新規なテトラヒドロピリジン誘導体
【化１】
2007508260.tif 000001
式中、
ＸおよびＹは、独立して、水素、フッ素またはメチル基を表し；ＸおよびＹは、両方とも同時に水素を表すことはなく、またはＸおよびＹは、共にシクロプロピル環を形成することができる；
Ｗは、フェニルまたはヘテロアリール環を表し、該ヘテロアリール環は６員の非縮合環であり、該フェニル環および該ヘテロアリール環は、３位または４位がＶで置換されている；
Ｖは、-(ＣＨ２)ｒ-；-Ａ-(ＣＨ２)ｓ-；-ＣＨ２-Ａ-(ＣＨ２)ｔ-；-(ＣＨ２)ｓ-Ａ-；-(ＣＨ２)２-Ａ-(ＣＨ２)ｕ-；-Ａ-(ＣＨ２)ｖ-Ｂ-；-ＣＨ２-ＣＨ２-ＣＨ２-Ａ-ＣＨ２-；-Ａ-ＣＨ２-ＣＨ２-Ｂ-ＣＨ２-；-ＣＨ２-Ａ-ＣＨ２-ＣＨ２-Ｂ-；-ＣＨ２-ＣＨ２-ＣＨ２-Ａ-ＣＨ２-ＣＨ２-；-ＣＨ２-ＣＨ２-ＣＨ２-ＣＨ２-Ａ-ＣＨ２-；-Ａ-ＣＨ２-ＣＨ２-Ｂ-ＣＨ２-ＣＨ２-；-ＣＨ２-Ａ-ＣＨ２-ＣＨ２-Ｂ-ＣＨ２-；-ＣＨ２-Ａ-ＣＨ２-ＣＨ２-ＣＨ２-Ｂ-；-ＣＨ２-ＣＨ２-Ａ-ＣＨ２-ＣＨ２-Ｂ-；-Ｏ-ＣＨ２-ＣＨ(ＯＣＨ３)-ＣＨ２-Ｏ；-Ｏ-ＣＨ２-ＣＨ(ＣＨ３)-ＣＨ２-Ｏ-；-Ｏ-ＣＨ２-ＣＨ(ＣＦ３)-ＣＨ２-Ｏ-；-Ｏ-ＣＨ２-Ｃ(ＣＨ３)２-ＣＨ２-Ｏ-；-Ｏ-ＣＨ２-Ｃ(ＣＨ３)２-Ｏ-；-Ｏ-Ｃ(ＣＨ３)２-ＣＨ２-Ｏ-；-Ｏ-ＣＨ２-ＣＨ(ＣＨ３)-Ｏ-；-Ｏ-ＣＨ(ＣＨ３)-ＣＨ２-Ｏ-；-Ｏ-ＣＨ２-Ｃ(ＣＨ２ＣＨ２)-Ｏ-または-Ｏ-Ｃ(ＣＨ２ＣＨ２)-ＣＨ２-Ｏ-を表す；
ＡおよびＢは、独立して-Ｏ-；-Ｓ-；-ＳＯ-または-ＳＯ２-を表す；
Ｕは、アリールまたはヘテロアリールを表す；
Ｔは、-ＣＯＮＲ１-；-(ＣＨ２)ｐＯＣＯ-；-(ＣＨ２)ｐＮ(Ｒ１)ＣＯ-；-(ＣＨ２)ｐＮ(Ｒ１)ＳＯ２-；-ＣＯＯ-；-(ＣＨ２)ｐＯＣＯＮＲ１-または-(ＣＨ２)ｐＮ(Ｒ２)ＣＯＮＲ１-を表す；
Ｒ１およびＲ２は、独立して、水素；低級アルキル；低級アルケニル；低級アルキニル；シクロアルキル；アリール-低級アルキル、ヘテロアリール-低級アルキルまたはシクロアルキル-低級アルキルを表す；
Ｑは、低級アルキレンまたは低級アルケニレンを表す；
Ｍは、水素；シクロアルキル；アリール；ヘテロシクリルまたはヘテロアリールを表す；
ｐは、整数１、２、３または４である；
ｒは、整数３、４、５、または６である；
ｓは、整数２、３、４または５である；
ｔは、整数１、２、３または４である；
ｕは、整数１、２または３である；
ｖは、整数２、３または４である；
および、医薬品として許容可能な塩類、溶媒複合物及び形態学的形状と同様に、光学的に純粋なエナンチオマー、ラセミ体等のエナンチオマー混合物、ジアステレオマー、ジアステレオマー混合物、ジアステレオマーラセミ体、ジアステレオマーラセミ体混合物、及びそのメソ形。
【請求項２】
請求項１に記載のテトラヒドロピリジン誘導体、ここで、Ｘ、Ｙ、Ｖ、ＷおよびＵは、一般式（Ｉ）で定義したものと同義であり；Ｔは、-ＣＯＮＲ１-を表し；Ｑは、低級アルキレンを表し、Ｍは水素、アリールまたはヘテロアリールを表す。
【請求項３】
請求項１〜２のいずれかに記載のテトラヒドロピリジン誘導体、ここで、Ｘ、Ｙ、Ｗ、Ｔ、ＱおよびＭは、一般式(I)で定義したものと同義であり、Ｖは-ＣＨ２ＣＨ２Ｏ-；-ＣＨ２ＣＨ２ＣＨ２Ｏ-；-ＯＣＨ２ＣＨ２Ｏ-または-ＣＨ２ＣＨ２ＣＨ２ＯＣＨ２Ｏ-を表し、Ｕは一般式(I)で定義したものと同義である。
【請求項４】
請求項１〜３のいずれかに記載のテトラヒドロピリジン誘導体、ここで、Ｘ、Ｙ、Ｖ、Ｕ、Ｔ、ＱおよびＭは一般式(I)で定義したものと同義であり、Ｗは-４位がＶで置換されたフェニルを表す。
【請求項５】
請求項１〜４のいずれかに記載のテトラヒドロピリジン誘導体、ここで、Ｗ、Ｖ、Ｕ、Ｔ、ＱおよびＭは一般式(I)で定義したものと同義であり、ＸおよびＹは共にシクロプロピル基を形成することができる。
【請求項６】
下記の化合物からなるグループから選ばれる請求項１〜５のいずれかに記載の化合物:
８-{４-[３-(２-クロロ-３,６-ジフルオロフェノキシ)プロピル]フェニル}-５-アザ-スピロ[２.５]-７-オクテン-７-カルボン酸シクロプロピル-(２,３-ジクロロベンジル)アミド；
４-{４-[３-(２-クロロ-３,６-ジフルオロフェノキシ)プロピル]フェニル}-５,５-ジメチル-１,２,５,６-テトラヒドロピリジン-３-カルボン酸シクロプロピル-(２,３-ジクロロベンジル)アミド；
４-{４-[３-(２-クロロ-３,６-ジフルオロフェノキシ)プロピル]フェニル}-５,５-ジメチル-１,２,５,６-テトラヒドロ-ピリジン-３-カルボン酸シクロプロピル-(２-メトキシ-３-メチルピリジン-４-イルメチル)アミド；
８-{４-[３-(２-クロロ-３,６-ジフルオロフェノキシ)プロピル]フェニル}-５-アザ-スピロ[２.５]-７-オクテン-７-カルボン酸シクロプロピル-(２-メトキシ-３-メチルピリジン-４-イル-メチル)-アミド；
８-{４-[３-(２-クロロ-３,６-ジフルオロフェノキシ)プロピル]フェニル}-５-アザスピロ[２.５]-７-オクテン-７-カルボン酸シクロプロピル-[２-(２-ヒドロキシプロポキシ)-３-メチルピリジン-４-イルメチル]アミド；
４-{４-[３-(２-クロロ-３,６-ジフルオロフェノキシ)プロピル]フェニル}-５,５-ジメチル-１,２,５,６-テトラヒドロ-ピリジン-３-カルボン酸シクロプロピル-[２-(２-ヒドロキシプロポキシ)-３-メチルピリジン-４-イルメチル]アミド；
４-{４-[３-(２-クロロ-３,６-ジフルオロフェノキシ)プロピル]フェニル}-５,５-ジフルオロ-１,２,５,６-テトラヒドロピリジン-３-カルボン酸シクロプロピル-(２,３-ジクロロベンジル)アミド。
【請求項７】
請求項１〜６のいずれかに記載の少なくとも一つの化合物および薬理学的に許容できる不活性担体または補助剤を含む医薬組成物。
【請求項８】
高血圧、うっ血性心不全、肺高血圧、腎〔機能〕障害、腎虚血、腎不全、腎線維症、心不全、心臓肥大、心臓線維症、心筋虚血、心筋症、糸球体腎炎、腎疝痛、腎症などの糖尿病に由来する合併症、血管障害および神経障害、緑内障、眼内圧上昇、アテローム性動脈硬化、血管形成後の再狭窄、血管または心臓外科手術後の合併症、勃起障害、高アルドステロン症、肺線維症、強皮症、不安神経症、認知障害、免疫抑制剤治療の合併症に関連する疾患、およびレニン-アンギオテンシン系に関連する既知のその他の疾患の治療または予防のための薬剤の製造のための請求項１〜６のいずれかに記載の化合物、または請求項７に記載の組成物。
【手続補正書】
【提出日】平成19年4月4日(2007.4.4)
【手続補正１】
【補正対象書類名】特許請求の範囲
【補正対象項目名】全文
【補正方法】変更
【補正の内容】
【特許請求の範囲】
【請求項１】
炎症性腸疾患を治療するための医薬組成物であって、式：
【化１】
2007508298.tif 000001
〔式中、Ｙ１及びＹ２は、同じであるか又は異なっていてもよく、各々、水素及び水酸基保護基から成る群から選択され、そして、基Ｒは、構造：
【化２】
2007508298.tif 000002
［式中、炭素２０での立体化学中心がＲ又はＳ配置を有してもよく、及びＺは、Ｙ、−ＯＹ、−ＣＨ２ＯＹ、−Ｃ≡ＣＹ及び−ＣＨ＝ＣＨＹから選択され、二重結合は、シス又はトランス位置を有していてもよく、そして、Ｙは、水素、メチル、−ＣＯＲ５及び構造：
【化３】
2007508298.tif 000003
｛式中、ｍ及びｎは、独立して、０ないし５の整数を表し、Ｒ１は、水素、デューテリウム、ヒドロキシ、保護されたヒドロキシ、フルオロ、トリフルオロメチル、及びＣ１−５−アルキルから選択され、直鎖又は分岐鎖であってもよく、及び、場合によっては、ヒドロキシ又は保護されたヒドロキシ置換基を有し、そして、Ｒ２、Ｒ３、及びＲ４の各々は、独立して、デューテリウム、デューテロアルキル、水素、フルオロ、トリフルオロメチル及びＣ１−５−アルキルから選択され、直鎖又は分岐鎖であってもよく、及び、場合によっては、ヒドロキシ又は保護されたヒドロキシ置換基を有し、そして、Ｒ１及びＲ２は、一緒になってオキソ基、又はアルキリデン基＝ＣＲ２Ｒ３、又は基−（ＣＨ２）ｐ−（ここで、ｐは、２ないし５の整数を表す）を表してもよく、そして、Ｒ３及びＲ４は、一緒になってオキソ基、又は基−（ＣＨ２）ｑ−（ここで、ｑは、２ないし５の整数を表す）を表してもよく、そして、Ｒ５は、水素、ヒドロキシ、保護されたヒドロキシ、又はＣ１−５−アルキルを表し、ここで、側鎖の炭素２０、２２、又は２３でのいずれかのＣＨ基は、窒素原子で置換されてもよく、又はそれぞれ位置２０、２２、及び２３での基−ＣＨ（ＣＨ３）−、−（ＣＨ２）ｍ−、−Ｃ（Ｒ１Ｒ２）−若しくは−（ＣＨ２）ｎ−のいずれかは、酸素又は硫黄原子で置換されてもよい｝
の基から選択される］
によって表される〕
を有するビタミンＤ化合物の有効量を含む、前記医薬組成物。
【請求項２】
前記疾患が潰瘍性大腸炎又はクローン病である、請求項１記載の医薬組成物。
【請求項３】
前記化合物が経口的、非経口的及び皮下的からなる群から選択される少なくとも１の方法により投与される、請求項１又は２記載の医薬組成物。
【請求項４】
前記化合物が１６０ポンドのヒト当たり１日に０．０１μｇから１０ｍｇの投与量で投与される、請求項１〜３のいずれか１項記載の医薬組成物。
【請求項５】
前記化合物が２−メチレン−１９−ノル−１α−ヒドロキシ−ホモプレグナカルシフェロール又は２−メチレン−１９−ノル−２０（Ｓ）−１α，２５−ジヒドロキシビタミンＤ３である、請求項１〜４のいずれか１項記載の医薬組成物。
【請求項６】
感受性の高い個人における炎症性腸疾患の発症を妨げ、又はその開始を遅延させるための医薬組成物であって、式：
【化４】
2007508298.tif 000004
〔式中、Ｙ１及びＹ２は、同じであるか又は異なっていてもよく、各々、水素及び水酸基保護基から成る群から選択され、そして、基Ｒは、構造：
【化５】
2007508298.tif 000005
［式中、炭素２０での立体化学中心がＲ又はＳ配置を有してもよく、及びＺは、Ｙ、−ＯＹ、−ＣＨ２ＯＹ、−Ｃ≡ＣＹ及び−ＣＨ＝ＣＨＹから選択され、二重結合は、シス又はトランス位置を有していてもよく、そして、Ｙは、水素、メチル、−ＣＯＲ５及び構造：
【化６】
2007508298.tif 000006
｛式中、ｍ及びｎは、独立して、０ないし５の整数を表し、Ｒ１は、水素、デューテリウム、ヒドロキシ、保護されたヒドロキシ、フルオロ、トリフルオロメチル、及びＣ１−５−アルキルから選択され、直鎖又は分岐鎖であってもよく、及び、場合によっては、ヒドロキシ又は保護されたヒドロキシ置換基を有し、そして、Ｒ２、Ｒ３、及びＲ４の各々は、独立して、デューテリウム、デューテロアルキル、水素、フルオロ、トリフルオロメチル及びＣ１−５−アルキルから選択され、直鎖又は分岐鎖であってもよく、及び、場合によっては、ヒドロキシ又は保護されたヒドロキシ置換基を有し、そして、Ｒ１及びＲ２は、一緒になってオキソ基、又はアルキリデン基＝ＣＲ２Ｒ３、又は基−（ＣＨ２）ｐ−（ここで、ｐは、２ないし５の整数を表す）を表してもよく、そして、Ｒ３及びＲ４は、一緒になってオキソ基、又は基−（ＣＨ２）ｑ−（ここで、ｑは、２ないし５の整数を表す）を表してもよく、そして、Ｒ５は、水素、ヒドロキシ、保護されたヒドロキシ、又はＣ１−５−アルキルを表し、ここで、側鎖の炭素２０、２２、又は２３でのいずれかのＣＨ基は、窒素原子で置換されてもよく、又はそれぞれ位置２０、２２、及び２３での基−ＣＨ（ＣＨ３）−、−（ＣＨ２）ｍ−、−Ｃ（Ｒ１Ｒ２）−若しくは−（ＣＨ２）ｎ−のいずれかは、酸素又は硫黄原子で置換されてもよい｝
の基から選択される］
によって表される〕
を有するビタミンＤ化合物を含む、前記医薬組成物。
【請求項７】
前記化合物が２−メチレン−１９−ノル−１α−ヒドロキシ−ホモプレグナカルシフェロール又は２−メチレン−１９−ノル−２０（Ｓ）−１α，２５−ジヒドロキシビタミンＤ３である、請求項６記載の医薬組成物。
【請求項８】
前記化合物が１６０ポンドのヒト当たり１日に０．０１μｇから１０ｍｇの投与量で投与される、請求項６又は７記載の医薬組成物。
【請求項９】
前記化合物が経口的、非経口的及び皮下的からなる群から選択される少なくとも１の方法により投与される、請求項６〜８のいずれか１項記載の医薬組成物。
【請求項１０】
前記疾患が潰瘍性大腸炎又はクローン病である、請求項６〜９のいずれか１項記載の医薬組成物。
【手続補正書】
【提出日】平成19年4月11日(2007.4.11)
【手続補正１】
【補正対象書類名】特許請求の範囲
【補正対象項目名】全文
【補正方法】変更
【補正の内容】
【特許請求の範囲】
【請求項１】
以下の成分：
ａ）有効成分；
ｂ）ビタミンE物質；及び
ｃ）界面活性剤
を含む医薬組成物であって、該組成物の希釈に際し、該有効成分非含有組成物の分散と比べ、該有効成分が、該ビタミンE物質の分散を少なくとも20%増加させる、前記の医薬組成物。
【請求項２】
前記有効成分が疎水性薬物である、請求項1の医薬組成物。
【請求項３】
前記疎水性薬物がステロイドである、請求項2の医薬組成物。
【請求項４】
前記疎水性薬物がベンゾキノンである、請求項2の医薬組成物。
【請求項５】
前記ビタミンE物質が、α-トコフェロール、α-トコフェロールアセテート、α-トコフェロールスクシネート及びα-トコフェロールポリエチレングリコールスクシネートからなる群から選択される、請求項1の医薬組成物。
【請求項６】
前記ビタミンE物質が、d-α-トコフェロール、dl-α-トコフェロール、d-α-トコフェロールアセテート、dl-α-トコフェロールアセテート、d-α-トコフェロールスクシネート及びdl-α-トコフェロールスクシネートからなる群から選択される、請求項5の医薬組成物。
【請求項７】
前記界面活性剤が、ポリオキシル35ヒマシ油、PEG-40水添ヒマシ油、カプリロカプロイルマクロゴール-8グリセリド、ポリソルベート80、ラウロイルマクロゴール-32グリセリド、ステアロイルマクロゴール-32グリセリド、及びトコフェロールポリエチレングリコール1000スクシネートからなる群から選択される、請求項1の医薬組成物。
【請求項８】
以下の成分：
a)ステロイド；
b)ビタミンE物質；及び
c)界面活性剤
を含む医薬組成物であって、水性溶媒中での該組成物の100倍希釈後に、該疎水性薬物又は該ビタミンE物質の少なくとも30%が水相に分散する、前記の医薬組成物。
【請求項９】
前記有効成分又は前記ビタミンE物質の少なくとも50%が水相に分散する、請求項8に記載の医薬組成物。
【請求項１０】
前記有効成分又は前記ビタミンE物質の少なくとも30%が水相に微細分散する、請求項8に記載の医薬組成物。
【請求項１１】
前記有効成分又は前記ビタミンE物質の少なくとも50%が水相に微細分散する、請求項10に記載の医薬組成物。
【請求項１２】
前記ステロイドが組成物の0.01重量%〜30重量%の範囲の量で存在し、前記ビタミンE物質が組成物の約1重量%〜95重量%の範囲の量で存在し、前記界面活性剤が組成物の約5重量%〜85重量%の範囲の量で存在する、請求項8の医薬組成物。
【請求項１３】
前記ステロイドがプロゲステロンである、請求項12の医薬組成物。
【請求項１４】
前記ステロイドがテストステロンである、請求項12の医薬組成物。
【請求項１５】
前記ステロイドがデヒドロエピアンドロステロンである、請求項12の医薬組成物。
【請求項１６】
前記ビタミンE物質が、α-トコフェロール、α-トコフェロールアセテート、α-トコフェロールスクシネート及びα-トコフェロールポリエチレングリコールスクシネートからなる群から選択される、請求項8の医薬組成物。
【請求項１７】
前記ビタミンE物質が、d-α-トコフェロール、dl-α-トコフェロール、d-α-トコフェロールアセテート、dl-α-トコフェロールアセテート、d-α-トコフェロールスクシネート及びdl-α-トコフェロールスクシネートからなる群から選択される、請求項16の医薬組成物。
【請求項１８】
前記界面活性剤が、ポリオキシル35ヒマシ油、PEG-40水添ヒマシ油、カプリロカプロイルマクロゴール-8グリセリド、ポリソルベート80、ラウロイルマクロゴール-32グリセリド、ステアロイルマクロゴール-32グリセリド及びトコフェロールポリエチレングリコール1000スクシネートからなる群から選択される、請求項8の医薬組成物。
【請求項１９】
前記ステロイドがプロゲステロンであり、前記ビタミンE物質がα-トコフェロールであり、前記界面活性剤がポリオキシル35ヒマシ油である、請求項8の医薬組成物。
【請求項２０】
前記プロゲステロンが約0.1重量%〜30重量%の範囲の量で存在する、請求項19の医薬組成物。
【請求項２１】
前記ステロイドがデヒドロエピアンドロステロンであり、前記ビタミンE物質がα-トコフェロールであり、前記界面活性剤がポリオキシル35ヒマシ油である、請求項8の医薬組成物。
【請求項２２】
前記デヒドロエピアンドロステロンが、少なくとも5重量%の量で存在する、請求項21の医薬組成物。
【請求項２３】
前記ステロイドがテストステロンであり、前記ビタミンE物質がα-トコフェロールスクシネートであり、前記界面活性剤がトコフェロールポリエチレングリコール1000スクシネートである、請求項８の医薬組成物。
【請求項２４】
前記テストステロンが、少なくとも1重量%の量で存在する、請求項24の医薬組成物。
【請求項２５】
前記ステロイドがプロゲステロンであり、前記ビタミンE物質がα-トコフェロールスクシネートであり、前記界面活性剤がトコフェロールポリエチレングリコール1000スクシネートである、請求項8の医薬組成物。
【請求項２６】
前記プロゲステロンが約1重量%〜30重量%の範囲の量で存在する、請求項25の医薬組成物。
【請求項２７】
患者に投与される疎水性薬物のバイオアベイラビリティーを改善する方法であって、請求項2の医薬組成物の療法有効量を適切な剤形で該患者に投与することを含む、前記の方法。
【請求項２８】
患者に投与されるステロイドのバイオアベイラビリティーを改善する方法であって、請求項8の医薬組成物の療法有効量を適切な剤形で該患者に投与することを含む、前記の方法。
【手続補正書】
【提出日】平成19年7月6日(2007.7.6)
【手続補正１】
【補正対象書類名】特許請求の範囲
【補正対象項目名】全文
【補正方法】変更
【補正の内容】
【特許請求の範囲】
【請求項１】
粘膜投与、肺への投与及び／又は男性性器の少なくとも一部への局所投与用に処方された抗うつ薬を含む早漏治療用組成物。
【請求項２】
前記抗うつ薬が、セロトニン再摂取抑制剤、セロトニンノルエピネフリン再摂取抑制剤、モノアミン酸化酵素抑制剤、ノルエピネフリンドーパミン再摂取抑制剤、セロトニン拮抗及び再摂取抑制剤、ノルエピネフリン拮抗薬／セロトニン拮抗薬、合成的に誘導されたフェニルピペラジン抗うつ薬、中枢Ｌ２-α２自己及びヘテロアドレナリン受容体の拮抗薬、並びにこれらの混合物から選択される請求項１に記載の組成物。
【請求項３】
前記抗うつ薬が、セロトニン再摂取抑制剤とモノアミン酸化酵素抑制剤との混合物である請求項２に記載の組成物。
【請求項４】
前記セロトニンノルエピネフリン再摂取抑制剤が、二環系、三環系又は四環系抗うつ薬である請求項３に記載の組成物。
【請求項５】
前記抗うつ薬が、パロキセチン、フルオキセチン、セルトラリン、臭化水素酸シタロプラム、フルボキサミン、セルトラリン、塩酸ノルトリプチリン、塩酸クロミプラミン、塩酸ドスレピン、塩酸イミプラミン、塩酸ミアンセリン、塩酸アミトリプチリン、硫酸フェネルジン、硫酸トラニルシプロミン、イソカルボキサジド、モクロベミド、並びにベンラファキシン、塩酸ネファゾドン、トラゾドン、ブプロピオン、ミルタザピン、塩酸ドキセピン、トリミプラミンのようなセロトニン及び／又はアドレナリンの最新の抑制剤又はこれらの混合物から選択される請求項１〜４のいずれかに記載の組成物。
【請求項６】
前記抗うつ薬が、パロキセチン、フルオキセチン、セルトラリン又はこれらの混合物から選択される請求項５に記載の組成物。
【請求項７】
前記パロキセチンが、塩酸塩又はメシル酸塩として処方される請求項６に記載の組成物。
【請求項８】
抗うつ薬の投与を容易にする担体を含む請求項１〜７のいずれかに記載の組成物。
【請求項９】
ｐＨが約７.４である請求項１〜８のいずれかに記載の組成物。
【請求項１０】
陰茎への直接の局所投与用に処方される請求項１〜９のいずれかに記載の組成物。
【請求項１１】
ゲル、ローション又は粉末の形態で陰茎への局所投与用の請求項１〜１０のいずれかに記載の組成物。
【請求項１２】
前記粉末を水和してゲル又はローションを形成することができる請求項１１に記載の組成物。
【請求項１３】
前記ゲルがヒドロゲル又はアクリル酸重合体である請求項１２に記載の組成物。
【請求項１４】
皮膚を通して抗うつ薬の吸収を増強するための賦活剤を更に含む請求項１０〜１３のいずれかに記載の組成物。
【請求項１５】
賦活剤がシクロデキストリン、水、一価アルコール又は多価アルコールである請求項１４に記載の組成物。
【請求項１６】
賦活剤がエタノール、ポリエチレングリコール、プロピレングリコール又はこれらの混合物である請求項１５に記載の組成物。
【請求項１７】
約２０〜約６０％の水と、約８０％〜約４０％のアルコールと、１〜１０％のヒドロキシプロピル-β-シクロデキストリン（ＨＰＢＣＤ）とを含み、ここで抗うつ薬とＨＰＢＣＤが典型的に約１：０.８から１：１.４のモル比で組成物中に存在する請求項１６に記載の組成物。
【請求項１８】
前記ＨＰＢＣＤが５〜７の置換度を有する請求項１７に記載の組成物。
【請求項１９】
抗うつ薬の濃度が、前記組成物の約１〜１０重量％の間である請求項１〜１８のいずれかに記載の組成物。
【請求項２０】
前記濃度が組成物の約３〜６重量％である請求項１９に記載の組成物。
【請求項２１】
粘膜投与用であって、鼻腔噴霧剤として、口腔投与用のトローチとして、又は直腸投与用の坐薬の形態で処方される請求項１に記載の組成物。
【請求項２２】
前記鼻腔噴霧剤が、水性又は非水ゲル、懸濁液、リポソーム分散液、乳濁液又はマイクロエマルジョンの形態、或いは粉末の状態で、微小球、被覆微小球又はリポソーム形状である請求項２１に記載の組成物。
【請求項２３】
吸入による肺への投与用に処方され、乾燥粉末、液化噴射剤中に懸濁した超微粉薬、或いは液化噴射剤中に単独で、又は補助溶剤を用いて溶解した薬の形態である請求項２２に記載の組成物。
【請求項２４】
乾燥粉末の粒径が１０ミクロン未満である請求項２３に記載の組成物。
【請求項２５】
エアゾールの形態で、前記噴射剤がＣＦＣ（クロロフルオロカーボン）又はＨＦＡ（ヒドロフルオロアルカン）噴射剤である請求項２３に記載の組成物。
【請求項２６】
オレイン酸、トリオレイン酸ソルビタン、レシチン及びこれらの混合物から選択される表面活性剤を含む請求項２３に記載の組成物。
【請求項２７】
鼻腔投与用に処方された抗うつ薬と、男性性器の少なくとも一部への局所投与用に処方された抗うつ薬とを備えるキット。
【請求項２８】
肺への投与用に処方された抗うつ薬と、男性性器の少なくとも一部への局所投与用に処方された抗うつ薬とを備えるキット。
【請求項２９】
鼻腔投与用に処方された抗うつ薬と、肺への投与用に処方された抗うつ薬とを備えるキット。
【請求項３０】
鼻腔投与用に処方された抗うつ薬、肺への投与用に処方された抗うつ薬及び男性性器の少なくとも一部への局所投与用に処方された抗うつ薬を備えるキット。
【請求項３１】
前記抗うつ薬には、それらが投与に対して相乗的に作用するものを選択する請求項３〜６のいずれかに記載のキット。
【請求項３２】
男性の早漏を治療するための薬剤製造における抗うつ薬の使用法であって、前記抗うつ薬をi）粘膜投与と、ii）肺への投与と、iii）男性性器の少なくとも一部への局所投与と、iv）粘膜投与、肺への投与及び男性性器の少なくとも一部への局所投与の二種以上の組合せとからなる群から選択される経路を経由して投与する抗うつ薬の使用法。
【請求項３３】
男性に抗うつ薬を投与する段階を含む男性の早漏を治療するための薬剤製造における抗うつ薬の使用法であって、前記抗うつ薬をi）鼻腔投与と、ii）肺への投与と、iii）口腔投与と、iv）陰茎への局所投与と、v）鼻腔投与、肺への投与、口腔投与及び陰茎への局所投与の二種以上の組合せとからなる群から選択される経路を経由して投与し、陰茎に十分な程度の麻酔を提供して早漏を克服する抗うつ薬の使用法。
【請求項３４】
男性に関連して性交を長引かせるための薬剤製造における抗うつ薬の使用法であって、前記方法が性交前に射精を遅らせるのに効果的な量の抗うつ薬を男性に投与する段階を含み、前記抗うつ薬を粘膜投与と、肺への投与と、男性性器への局所投与と、粘膜投与、肺への投与又は男性性器への局所投与の二種以上の組合せとからなる群から選択される経路を経由して投与する抗うつ薬の使用法。
【請求項３５】
男性及び女性に関連して性交を長引かせるための薬剤製造における抗うつ薬の使用法であって、前記方法が性交前に女性性器を麻酔することなく射精を遅らせるに効果的な量の抗うつ薬を男性に投与する段階を含み、前記抗うつ薬を粘膜投与と、肺への投与と、男性性器への局所投与と、粘膜投与、肺への投与又は男性性器への局所投与の二種以上の組合せとからなる群から選択される経路を経由して投与する抗うつ薬の使用法。
【手続補正書】
【提出日】平成19年5月11日(2007.5.11)
【手続補正１】
【補正対象書類名】特許請求の範囲
【補正対象項目名】全文
【補正方法】変更
【補正の内容】
【特許請求の範囲】
【請求項１】
式(I)
【化１】
2007508270.tif 000001
の化合物ならびにその薬学的に許容される塩、溶媒和物および加水分解可能なエステル。
【請求項２】
治療に使用するための請求項１記載の化合物。
【請求項３】
請求項１記載の化合物を含む医薬組成物。
【請求項４】
薬学的に許容される希釈剤または担体をさらに含む請求項３記載の医薬組成物。
【請求項５】
hPPAR疾患または症状の治療のための医薬の製造における請求項１記載の化合物の使用。
【請求項６】
hPPAR仲介疾患または症状が、ジスリピデミア、症候群X、心不全、高コレステロール血症、心臓血管疾患、２型糖尿病、１型糖尿病、インスリン抵抗性、高脂血症、肥満、食欲不振過食症および神経性食欲不振である請求項５記載の使用。
【手続補正書】
【提出日】平成19年9月14日(2007.9.14)
【手続補正１】
【補正対象書類名】特許請求の範囲
【補正対象項目名】全文
【補正方法】変更
【補正の内容】
【特許請求の範囲】
【請求項１】
光増感剤およびバクテリオファージの複合体を含む組成物。 
【請求項２】
バクテリオファージがスタフィロコッカル バクテリオファージである、請求項１記載
の組成物。 
【請求項３】
光増感剤がバクテリオファージに共有結合されている、請求項１または２に記載の組成物。
【請求項４】
光増感剤がポルフィリン（Porphyrin）、フタロシアニン（phthalocyanine）、クロリ
ン（chlorin）、バクテリオクロリン（bacteriochlorin）、フェノチアジニウム（phenothiazinium）、フェナジン（phenazine）、アクリジン（acridine）、テキサフィリン（texaphyrin）、シアニン（cyanine）、アントラサイクリン（anthracyclin）、 フェオホルバイド（pheophorbide）、サフィリン（sapphyrin）、フラーレン（fullerene）、ハロゲン化キサンテン（halogenated xanthene）、ペリレンキノノイド顔料（perylenequinonoid pigment）、ギルボカルシン（gilvocarcin）、ターチオフェン（terthiophene）、ベンゾフェナントリジン（benzophenanthridine）、ソラレン（psoralen）およびリボフラビ
ン（riboflavin）から選ばれる、請求項１〜３のいずれか１項に記載の組成物。 
【請求項５】
光増感剤がティン（IV）クロリンe6(SnCe6)である、請求項４記載の組成物。 
【請求項６】
バクテリオファージが、ファージ53、75、79、80、83、φ11、φ12、φ13、φ147、φMR11、48、71、φ812、SK311、φ131、SB-I、U16、C１、SF370.1、SP24、SFL、A1、ATCC 12202-B1、f304L、φ304S、φ15、φ16、782、P1c1r1OOKM、P1、T1、T3、T4、T7 MS2、P1、M13、UNL-1、ACQ、UT1、tbalD3、E79、F8、pf20 B3、F116、G101、B86、T7M、ACq、UT1、BLB、PP7、ATCC 29399-B1およびB40-8から選ばれる、前請求項のいずれか１項に記載の組成物。
【請求項７】
バクテリオファージがファージ75またはファージφ11である、請求項６記載の組成物。
【請求項８】
光増感剤の濃度が0.01〜200μg/mlである、前請求項のいずれか１項に記載の組成物。 
【請求項９】
バクテリオファージの濃度が1×105〜1×1010pfu/mlである、前請求項のいずれか１項に記載の組成物。
【請求項１０】
さらにCa2+ イオン源、好ましくは塩化カルシウムを含む、前請求項のいずれか１項に記載の組成物。 
【請求項１１】
薬学的に許容可能な担体中の溶液の形態である、請求項１〜１０のいずれか１項に記載の組成物。 
【請求項１２】
組成物がさらに１以上のバッファー、塩、酸化防止剤、保存料、ゲル化剤またはミネラル質再付加剤（remineralisation agent）を含む、請求項１〜１１のいずれか１項に記載の組成物。
【請求項１３】
(a)存在するいずれの細菌も光増感剤-バクテリオファージ複合体に結合するように、前請求項のいずれか１項に記載の組成物と処理されるエリアとを接触させ、そして
(b)光増感剤により吸収される波長での光を該エリアに照射することを含む
細菌を殺す方法。
【請求項１４】
細菌がスタフィロコッカス、特にMRSA、EMRSA VRSA、hetero-VRSAまたはCA-MRSAである、請求項１３に記載の方法。 
【請求項１５】
光がレーザー光または白色光である、請求項１３または１４記載の方法。 
【請求項１６】
レーザー光がヘリウムネオンガスレーザー由来である、請求項１５に記載の方法。 
【請求項１７】
レーザー光が200〜1060nmの波長を有する、請求項１５または１６のいずれか１項に記載の方法。 
【請求項１８】
レーザーが1〜100mWの出力および1〜10mmのビーム直径を有する、請求項１５〜１７のいずれか１項に記載の方法。 
【請求項１９】
レーザー照射の光線量が5〜333Jcm-2である、請求項１８に記載の方法。
【請求項２０】
白色光の光線量が0.01〜100J/cm2である、請求項１５に記載の方法。
【請求項２１】
照射時間が１秒〜１５分である、請求項１５〜２０のいずれか１項に記載の方法。 
【請求項２２】
組成物が0.00001〜1%w/vの濃度で処理されるエリア内またはエリア上に存在する、請求項１３〜２１のいずれか１項に記載の方法。 
【請求項２３】
ヒトまたは動物の生体の治療のための、請求項１〜１２のいずれか１項に記載の組成物の使用。 
【請求項２４】
細菌感染の治療のための薬剤の製造における、請求項１〜１２のいずれか１項に記載の組成物の使用。 
【請求項２５】
細菌感染がS. aureus、特にMRSA、EMRSA、VRSA、hetero-VRSAまたはCAMRSAである請求項２４記載の使用。 
【請求項２６】
光線力学療法 (PDT)における標的物質としてのバクテリオファージの使用。 
【請求項２７】
バクテリオファージがスタフィロコッカルファージである請求項２６記載の使用。 
【請求項２８】
実質的には実施例に記載されている通りである請求項１〜１２のいずれか１項に記載の組成物。
【請求項２９】
実質的には実施例に記載されている通りである請求項１３〜２２のいずれか１項に記載の方法。
【請求項３０】
実質的には実施例に記載されている通りである請求項２３〜２７のいずれか１項に記載の使用。 
【手続補正２】
【補正対象書類名】明細書
【補正対象項目名】００２９
【補正方法】変更
【補正の内容】
【００２９】
本発明の方法において、適切な波長の光を放つどんな光源も使用し得る。光の波長は、光増感剤の最大吸収に相当し、光増感剤を活性化するために十分なエネルギーを有するように選択される。光源は、単色または多色の光を生み出すことができるいずれの装置または生物学的システムであり得る。例として、レーザー、発光ダイオード、アークランプ、ハロゲンランプ、白熱ランプあるいは生物発光または化学発光のエミッターが挙げられる。ある種の環境においては、太陽光が適切であり得る。好ましくは、光源から放たれる光の波長は200〜1060nmであり、好ましくは400〜750nmであり得る。適切なレーザーは、1〜100mWの出力および1〜10mmのビーム直径を有し得る。レーザー照射のための光線量は、レーザー光のために適切には5〜333Jcm-2、好ましくは5〜30Jcm-2である。白色光照射のためには、適切な量は0.01〜100J/cm2、好ましくは0.1〜20J/cm2、より好ましくは3〜10J/cm2である。
【手続補正書】
【提出日】平成19年10月1日(2007.10.1)
【手続補正１】
【補正対象書類名】特許請求の範囲
【補正対象項目名】全文
【補正方法】変更
【補正の内容】
【特許請求の範囲】
【請求項１】
低体温療法と組み合わせて使用する、対象である新生児において新生児仮死を治療する薬剤の調製におけるキセノンの使用。
【請求項２】
キセノンが、薬学上許容可能な希釈剤、賦形剤又は担体と混合されていることを特徴とする請求項１記載の使用。
【請求項３】
薬剤が、ガス状であることを特徴とする請求項１又は２記載の使用。
【請求項４】
薬剤が、吸入により投与されることを特徴とする請求項３記載の使用。
【請求項５】
キセノンが、２０〜７０％ｖ／ｖのキセノン・空気混合体の形態で投与されることを特徴とする請求項１〜４のいずれか記載の使用。
【請求項６】
キセノンが、灌流により投与されることを特徴とする請求項１又は２記載の使用。
【請求項７】
薬剤が、液体又は溶液の形態であることを特徴とする請求項１又は２記載の使用。
【請求項８】
薬剤が、脂肪乳剤の形態であることを特徴とする請求項７記載の使用。
【請求項９】
薬剤が、静脈内、軸索内又は経皮的デリバリーに好適な形態であることを特徴とする請求項７又は８記載の使用。
【請求項１０】
キセノンの投与が、低体温療法と同時、順次、又は別個に行われることを特徴とする請求項１〜９のいずれか記載の使用。
【請求項１１】
キセノンの投与が、低体温療法と同時に行われることを特徴とする請求項１０記載の使用。
【請求項１２】
キセノンが、対象である新生児の母親に、出産前に投与されることを特徴とする請求項１〜１１のいずれか記載の使用。
【請求項１３】
キセノンが、対象である新生児の母親に、陣痛前又は陣痛中に投与されることを特徴とする請求項１２記載の使用。
【請求項１４】
キセノンが、対象である新生児の母親に、出産前に最長約２４時間投与されることを特徴とする請求項１３記載の使用。
【請求項１５】
低体温療法が、低酸素性虚血性（ＨＩ）障害後、少なくとも約６時間続けられることを特徴とする請求項１〜１４のいずれか記載の使用。
【請求項１６】
低体温療法が、低酸素性虚血性（ＨＩ）障害後、約６〜約２４時間続けられることを特徴とする請求項１〜１５のいずれか記載の使用。
【請求項１７】
キセノンが、治療上有効な量で投与されることを特徴とする請求項１〜１６のいずれか記載の使用。
【請求項１８】
キセノンが、治療上有効な量以下で投与されることを特徴とする請求項１〜１６のいずれか記載の使用。
【請求項１９】
キセノンが、イソフルラン、セボフルラン及びデスフルランから選択される麻酔剤と組み合わせて投与されることを特徴とする請求項１〜１８のいずれか記載の使用。
【請求項２０】
新生児である対象が哺乳動物であり、哺乳動物の体温が、約３２℃〜約３６℃に維持されることを特徴とする請求項１〜１９のいずれか記載の使用。
【請求項２１】
哺乳動物の体温が、約３３℃〜約３５℃に維持されることを特徴とする請求項２０記載の使用。
【請求項２２】
新生児仮死治療用薬剤の調製におけるキセノンの使用であって、前記治療が、低体温療法と組み合わせて、同時、順次、又は別個にキセノンを対象に投与するステップを含む使用。
【請求項２３】
治療上有効な量のキセノンを含む、低体温療法と組み合わせて使用する、新生児仮死の治療を必要とする哺乳動物における新生児仮死の治療薬剤。
【請求項２４】
哺乳動物がヒトであることを特徴とする請求項２３記載の薬剤。
【請求項２５】
キセノンに加えて、薬学上許容可能な担体、希釈剤及び／又は賦形剤を含むことを特徴とする請求項２３又は２４記載の薬剤。
【請求項２６】
キセノンが、吸入により投与されることを特徴とする請求項２３〜２５のいずれか記載の薬剤。
【請求項２７】
キセノンが、２０〜７０％ｖ／ｖのキセノン・空気混合体の形態で投与されることを特徴とする請求項２６記載の薬剤。
【請求項２８】
キセノンが、灌流により投与されることを特徴とする請求項２３〜２５のいずれか記載の薬剤。
【請求項２９】
キセノンが、溶液又は乳剤の形態で投与されることを特徴とする請求項２３〜２５のいずれか記載の薬剤。
【請求項３０】
キセノンが、脂肪乳剤の形態で投与されることを特徴とする請求項２９記載の薬剤。
【請求項３１】
キセノンが、静脈内、軸索内又は経皮的に投与されることを特徴とする請求項２９又は３０のいずれか記載の薬剤。
【請求項３２】
キセノンの投与が、低体温療法と同時、順次、又は別個に行われることを特徴とする請求項２３〜３１のいずれか記載の薬剤。
【請求項３３】
キセノンの投与が、低体温療法と同時に行われることを特徴とする請求項３２記載の薬剤。
【請求項３４】
哺乳動物の体温が、約３２℃〜約３６℃に維持されることを特徴とする請求項２３〜３３のいずれか記載の薬剤。
【請求項３５】
哺乳動物の体温が、約３３℃〜約３５℃に維持されることを特徴とする請求項３４記載の薬剤。
【請求項３６】
低体温療法が、低酸素性虚血性（ＨＩ）障害後、少なくとも６時間続けられることを特徴とする請求項２３〜３５のいずれか記載の薬剤。
【請求項３７】
低体温療法が、低酸素性虚血性（ＨＩ）障害後、約６〜約２４時間続けられることを特徴とする請求項２３〜３６のいずれか記載の薬剤。
【請求項３８】
キセノンが、哺乳動物の母親に、出産前に投与されることを特徴とする請求項２３〜３７のいずれか記載の薬剤。
【請求項３９】
キセノンが、哺乳動物の母親に、陣痛前又は陣痛中に投与されることを特徴とする請求項３８記載の薬剤。
【請求項４０】
キセノンが、哺乳動物の母親に、出産前に最長約２４時間投与されることを特徴とする請求項３８又は３９記載の薬剤。
【請求項４１】
キセノンが、治療上有効な量で投与されることを特徴とする請求項２３〜４０のいずれか記載の薬剤。
【請求項４２】
キセノンが、治療上有効な量以下で投与されることを特徴とする請求項２３〜４０のいずれか記載の薬剤。
【請求項４３】
キセノンが、イソフルラン、セボフルラン及びデスフルランから選択される麻酔剤と組み合わせて投与されることを特徴とする請求項２３〜４１のいずれか記載の薬剤。
【請求項４４】
新生児仮死の治療を必要とする哺乳動物における新生児仮死の治療方法であって、治療上有効な量のキセノンを、低体温療法と組み合わせて前記哺乳動物に投与するステップを含む薬剤。
【手続補正書】
【提出日】平成19年9月21日(2007.9.21)
【手続補正１】
【補正対象書類名】特許請求の範囲
【補正対象項目名】全文
【補正方法】変更
【補正の内容】
【特許請求の範囲】
【請求項１】
下記；
（i）１８〜３２ｎｍの範囲の分散液中の体積中位粒径を有する、０．１〜２５質量％の範囲の金属酸化物粒子；
（ii）５〜６０質量％のシリコーンオイル；及び
（iii）２０質量％超の水：を含むシリコーンオイル中水型エマルション。
【請求項２】
該金属酸化物が、水性分散液の形態で該エマルション内に導入されている、請求項１に記載のエマルション。
【請求項３】
該金属酸化物粒子の長さの平均が５０〜９０ｎｍの範囲にあり、そして幅の平均が５〜２０ｎｍの範囲にある、請求項１又は２に記載のエマルション。
【請求項４】
該金属酸化物粒子が、分散液中で２３〜２９ｎｍの分散液中の体積中位粒径を有する、請求項１〜３のいずれか一項に記載のエマルション。
【請求項５】
該金属酸化物粒子が、下記；
（i）５２４ｎｍにおいて１．５Ｌ／ｇ／ｃｍ未満の吸光係数；
（ii）４５０ｎｍにおいて０．２〜３．０Ｌ／ｇ／ｃｍの範囲の吸光係数；
（iii）３６０ｎｍにおいて４．０〜１２．０Ｌ／ｇ／ｃｍの範囲の吸光係数；
（iv）３０８ｎｍにおいて３５〜６５Ｌ／ｇ／ｃｍの範囲の吸光係数；
（v）５０〜８０Ｌ／ｇ／ｃｍの範囲の最大吸光係数；及び／又は
（vi）２６５〜２８７ｎｍの範囲のλ（ｍａｘ）：を少なくとも１つ以上を有する、請求項１〜４のいずれか一項に記載のエマルション。
【請求項６】
該水性分散液が、少なくとも２５質量％の金属酸化物粒子を含む、請求項２〜５のいずれか一項に記載のエマルション。
【請求項７】
該金属酸化物粒子に対して計算された、５〜５０質量％の範囲の少なくとも１種の非イオン性分散剤を含む、請求項１〜６のいずれか一項に記載のエマルション。
【請求項８】
該シリコーンオイル以外の任意のオイルを１０質量％未満含む、請求項１〜７のいずれか一項に記載のエマルション。
【請求項９】
該シリコーンオイルが、存在するソールオイルである、請求項１〜８のいずれか一項に記載のエマルション。
【請求項１０】
シリコーンオイル中水型エマルションが形成される条件下で、１８〜３２ｎｍの範囲の分散液中の体積中位粒径を有する金属酸化物粒子を含む水性分散液を、シリコーンオイルと混合させることを含む、シリコーンオイル中水型エマルションの調製方法。
【手続補正書】
【提出日】平成19年10月11日(2007.10.11)
【手続補正１】
【補正対象書類名】明細書
【補正対象項目名】００２０
【補正方法】変更
【補正の内容】
【００２０】
反応２：この合成は、ポリ(ビニル-1,2,4-トリアゾール)のイオン性ポリマーバージョン（version）に対するものであり、他のポリビニルトリアゾールを形成する方法を例示するか、または計画を示す。
【化４】
2007508230.tif 000001
反応３：この合成は、二置換テトラゾールを生成し、その重合を行うためのものである。
【手続補正書】
【提出日】平成19年9月28日(2007.9.28)
【手続補正１】
【補正対象書類名】特許請求の範囲
【補正対象項目名】請求項２
【補正方法】変更
【補正の内容】
【請求項２】
前記支持体層が酸素バリア層を有することを特徴とする請求項１に記載のコンポスト化可能なシート材料。
【手続補正２】
【補正対象書類名】特許請求の範囲
【補正対象項目名】請求項３
【補正方法】変更
【補正の内容】
【請求項３】
前記支持体層が印刷できる支持体の層を含むことを特徴とする請求項１または２に記載のコンポスト化可能なシート材料。
【手続補正３】
【補正対象書類名】特許請求の範囲
【補正対象項目名】請求項１１
【補正方法】変更
【補正の内容】
【請求項１１】
環境に優しいパッケージの作成方法において、請求項１から５のいずれかに記載のコンポスト化可能なシート材料を提供する工程及び前記パッケージを形成するために前記シート材料の一部分を封着する工程を含み、前記封着する工程が、前記一部分の第１の領域においては第１の温度で行われ、前記一部分の第２の領域においては前記第１の温度とは異なる第２の温度で行われ、よって得られた封止の剥離強度が前記第１の領域と前記第２の領域で異なることを特徴とする方法。
【手続補正書】
【提出日】平成19年8月6日(2007.8.6)
【手続補正１】
【補正対象書類名】特許請求の範囲
【補正対象項目名】全文
【補正方法】変更
【補正の内容】
【特許請求の範囲】
【請求項１】
アルコールフリーの発泡性担体として使用するための、投与前の状態では安定な不透明の水中油乳剤であって：
（i）組成物の重量の約１０〜７５％の、液体で不揮発性の疎水性溶媒；
（ii）組成物の重量の約０.１〜５％の、少なくとも９のＨＬＢ値を有する非イオン系界
面活性剤を実質的に含んでなる表面活性剤；
（iii）約０.１〜５重量％の、両親媒性コポリマーを含むゲル化剤；および、
（iv）全組成物の重量の約３％〜約１８％の濃度の液化ガス噴霧剤、
を含む乳剤。